(57)【特許請求の範囲】
【請求項１】
第１面及び第２面を有する筐体と、
前記筐体の前記第１面に配されるレシーバと、
前記筐体の前記第２面に配される表示部と、
通信部と、
マイクと、
前記マイクに入力された音を前記レシーバから出力させる集音モードに設定された場合に、電波の送受信を停止するよう前記通信部を制御すると共に、電波の送受信が停止していることを示す第１画像を前記表示部に表示させる制御部と、
を備える携帯電子機器。
【請求項２】
外部音出力部が接続される接続部を備え、
前記制御部は、
前記集音モードに設定されて電波の送受信を停止するよう前記通信部を制御した場合に、前記接続部に前記外部音出力部が接続されていないと、警告表示を前記表示部に表示させ、
前記接続部に前記外部音出力部が接続されると、前記外部音出力部のみから音を出力させる
請求項１に記載の携帯電子機器。
【請求項３】
前記制御部は、前記集音モードに設定されて電波の送受信を停止するよう前記通信部を制御した場合に、前記表示部の輝度を変更する
請求項１又は２に記載の携帯電子機器。
【請求項４】
前記通信部によって受信した電波に基づいて、携帯電子機器の現在位置を取得する位置取得部を備え、
前記制御部は、前記集音モードに設定されて電波の送受信を停止するよう前記通信部を制御した場合に、前記位置取得部によって取得された現在位置が予め定められた位置であると、前記表示部の輝度を変更する
請求項３に記載の携帯電子機器。
【請求項５】
明るさを測定する光センサと、
前記制御部によって電波の送受信を停止するよう前記通信部が制御された場合に、前記光センサによって測定された明るさが所定の明るさ未満となっている時間を計時する計時部と、を備え、
前記制御部は、前記計時部によって計時される時間が所定の時間以上となる場合に、前記表示部の輝度を変更する
請求項３又は４に記載の携帯電子機器。
【請求項６】
前記制御部は、前記集音モードに設定されると、マイクによって入力された音又は音声を調整した後、調整後の音又は音声をレシーバ２３から出力させる、請求項１から５のいずれか１項に記載の携帯電子機器。
【発明の詳細な説明】
【技術分野】
【０００１】
本発明は、集音機能を有する携帯電子機器に関する。
【背景技術】
【０００２】
携帯電子機器の一例としての携帯電話機には、集音機能（補聴機能）を備えたものがある（特許文献１参照）。その携帯電話機は、通話時に、マイクによって集音した音声を通信部によって送信し、通信部によって受信した相手側の音声をスピーカから出力する。また、その携帯電話機は、集音機能を利用する場合、マイクによって集音した音声をスピーカから出力する。
【先行技術文献】
【特許文献】
【０００３】
【特許文献１】特開平１０−２９０２７４号公報
【発明の概要】
【発明が解決しようとする課題】
【０００４】
ところで、病院、電車の優先席付近、コンサートホール、映画館及びプラネタリウム等の所定の場所では、携帯電話機が電波を送受信することに起因して他の機器又は他人等に悪影響を及ぼす可能性があるため、携帯電話機の電源をオフにすることが求められている。このため、集音機能を備える携帯電話機であっても、所定の場所では、携帯電話機の電源はオフにされる。
しかしながら、集音機能が必要なユーザは、携帯電話機をオフにすると集音機能を使用できないため、不便である。
【０００５】
本発明は、集音機能を使用できるようにした携帯電子機器を提供することを目的とする。
【課題を解決するための手段】
【０００６】
本発明の携帯電子機器は、筐体と、レシーバと、表示部と、通信部と、制御部とを備える。前記筐体は、第１面及び第２面を有する。前記レシーバは、前記筐体の前記第１面に配される。表示部は、前記筐体の前記第２面に配される。前記制御部は、電波の送受信を停止するよう前記通信部を制御する。前記制御部は、電波の送受信が停止していることを示す第１画像を前記表示部に表示させる。
【０００７】
携帯電子機器は、外部音出力部が接続される接続部を備えることが好ましい。前記制御部は、前記接続部に前記外部音出力部が接続されていないと、警告表示を前記表示部に表示させる。前記制御部は、前記接続部に前記外部音出力部が接続されると、前記外部音出力部のみから音を出力させる。
【０００８】
前記制御部は、電波の送受信を停止するよう前記通信部を制御した場合に、前記表示部の輝度を変更することが好ましい。
【０００９】
携帯電子機器は、位置取得部を備えることが好ましい。前記位置取得部は、前記通信部によって受信した電波に基づいて、携帯電子機器の現在位置を取得する。前記制御部は、電波の送受信を停止するよう前記通信部を制御した場合に、前記位置取得部によって取得された現在位置が予め定められた位置であると、前記表示部の輝度を変更する。
【００１０】
携帯電子機器は、光センサと、計時部とを備えることが好ましい。前記光センサは、明るさを測定する。前記計時部は、前記制御部によって電波の送受信を停止するよう前記通信部が制御された場合に、前記光センサによって測定された明るさが所定の明るさ未満となっている時間を計時する。前記制御部は、前記計時部によって計時される時間が所定の時間以上となる場合に、前記表示部の輝度を変更する。
【発明の効果】
【００１１】
本発明によれば、集音機能を使用できる。
【図面の簡単な説明】
【００１２】
【図１】本発明の一実施形態に係る携帯電話機が開状態となる場合の外観斜視図である。
【図２】携帯電話機が閉状態となる場合の外観斜視図である。
【図３】携帯電話機の機能構成を示すブロック図である。
【図４】聴力特性を示す図である。
【図５】聴力が低下していない人の聴力特性を示す図である。
【図６】聴力が低下した人の聴力特性を示す図である。
【図７】聴力が低下していない人の音の聴こえ方と、聴力が低下した人の音の聴こえ方とを対比する図である。
【図８】第１画像の一例を示す図である。
【図９】集音モードを起動した場合の携帯電話機の動作について説明するためのフローチャートである。
【発明を実施するための形態】
【００１３】
以下、本発明の携帯電子機器としての携帯電話機について説明する。図１は、本実施形態に係る携帯電話機が開状態となる場合の外観斜視図である。図２は、携帯電話機が閉状態となる場合の外観斜視図である。
【００１４】
図１に示すように、携帯電話機１は、複数の面を有する筐体を備える。その筐体は、第１筐体２と、第２筐体３とから構成される。携帯電話機１は、第１筐体２と第２筐体３とを開閉可能に連結する連結部４を備える。
【００１５】
携帯電話機１は、第１形態としての閉状態（図２参照）と、第２形態としての開状態（図１参照）とに変形可能に構成される。
閉状態では、第１筐体２と第２筐体３とが互いに重なるように配置される。本実施形態の閉状態では、第１筐体２の主面２ａと第２筐体３の主面３ａとが露出しないように配置される。すなわち、閉状態では、主面２ａと主面３ａとが対向するように配置される。主面２ａと主面３ａとは、第１面を構成する。携帯電話機１が閉状態となる場合に、携帯電話機１の外側となる面が第２面となる。第２面は、主面２ａとは反対側の後面（図示せず）、及び主面３ａとは反対側の後面３ｂである。
【００１６】
開状態では、第１筐体２の主面２ａと第２筐体３の主面３ａとが露出するように配置される。携帯電話機１が開状態とされることにより、携帯電話機１の後述する集音機能がユーザによって使用される場合、第１面としての主面２ａ及び主面３ａは、ユーザの顔に対向する。携帯電話機１が開状態とされることにより、携帯電話機１の集音機能がユーザによって使用される場合、第２面としての第１筐体２の後面及び第２筐体３の後面３ｂは、ユーザの顔から離れた面となる。
【００１７】
第１筐体２は、操作部１１と、音入力部としてのマイク１２と、電源操作部１７と、各種インターフェースとを備える。操作部１１と、音入力部としてのマイク１２と、電源操作部１７とは、第１筐体２の主面２ａに配置される。
操作部１１は、機能キー１３と、文字キー１４と、操作キー１５と、サイドキー１６とを有する。
【００１８】
機能キー１３は、携帯電話機１の各種設定、電話帳機能、又はメール機能等の各種機能の作動に用いられる。文字キー１４は、電話番号の数字又はメールの文字等の入力に用いられる。操作キー１５は、各種操作における決定又は上下左右方向のスクロール等に用いられる。サイドキー１６は、携帯電話機１の各種設定、電話帳機能、又はメール機能等の各種機能の作動に用いられる。
【００１９】
操作部１１を構成するキーのそれぞれは、機能が割り当てられる。この機能の割り当ては、携帯電話機１における開閉状態、各種モード又は起動されているアプリケーションの種類等に応じて変更される。これらのキーのそれぞれがユーザにより押圧されると、携帯電話機１は、キー押圧時に割り当てられている機能に応じて動作する。
【００２０】
マイク１２は、第１筐体２において連結部４から離れる方向の端部にある。マイク１２は、携帯電話機１が開状態である場合の一方の端部に配置される。
【００２１】
電源操作部１７は、携帯電話機１の主電源をＯＮ又はＯＦＦにするための操作部である。
各種インターフェースは、外部機器と通信を行うためのインターフェースと、外部メモリの挿入及び取り出しが行われるインターフェースとを含む。その外部機器は、例えば、ホスト装置又はクライアント装置である。本実施形態において、携帯電話機１は、各種インターフェースの一として、接続部３３を備える。各種インターフェースは、不使用時に、キャップにより覆われる。
【００２２】
第２筐体３は、メインディスプレイ２１と、レシーバ２３と、本発明の表示部としてのサブディスプレイ２５（図２参照）とを備える。メインディスプレイ２１と、レシーバ２３とは、第２筐体３の主面３ａに配される。サブディスプレイ２５は、第２筐体３の後面３ｂに配される。後面３ｂは、第２筐体３における主面３ａとは反対側の面である。
メインディスプレイ２１は、文字情報又は画像情報等の各種情報を表示可能に構成される。メインディスプレイ２１は、例えば、液晶ディスプレイ、有機ＥＬ（ｅｌｅｃｔｒｏｌｕｍｉｎｅｓｃｅｎｃｅ）ディスプレイ等である。
サブディスプレイ２５は、文字情報又は画像情報等の各種情報を表示可能に構成される。サブディスプレイ２５は、例えば、液晶ディスプレイ、有機ＥＬディスプレイ等である。
レシーバ２３は、第２筐体３の主面３ａに配される。レシーバ２３は、第２筐体３において連結部４から離れる方向の端部に配される。レシーバ２３は、閉状態で第１筐体２に覆われ、開状態で開放される。
【００２３】
連結部４は、開閉ヒンジ機構を有している。連結部４は、携帯電話機１が開状態になる場合、第１筐体２の端部と第２筐体３の端部との間に配置される。連結部４は、第１筐体２と第２筐体３とを相対移動可能に連結する。本実施形態の連結部４は、第１筐体２と第２筐体３とを互いにローテンション可能に連結する。第１筐体２と第２筐体３は、回転軸Ｚを中心に回動する。携帯電話機１は、回転軸Ｚを中心に回動して第１形態と第２形態とに変形する。
【００２４】
携帯電話機１は、図３に示すように、操作部１１と、マイク１２と、メインディスプレイ２１と、表示ドライバ２２と、レシーバ２３と、スピーカ２４と、サブディスプレイ２５と、通信部３１と、表示処理部３２と、接続部３３と、記憶部３４と、処理部３５と、制御部３６とを備える。
【００２５】
レシーバ２３は、音声を出力する。
スピーカ２４は、携帯電話機１の操作音又は着信音等を出力する。
【００２６】
通信部３１は、電波を送受信することにより通信を行うことが可能である。具体的には、通信部３１は、アンテナ部３１１と、通信処理部３１２とを備える。
通信処理部３１２は、基地局に送信する信号を所定の周波数帯で変調処理する。所定の周波数帯は、例えば、８００ＭＨｚ帯である。通信処理部３１２は、変調処理を行った信号をアンテナ部３１１に供給する。通信処理部３１２は、アンテナ部３１１によって受信された基地局からの信号を受け付ける。通信処理部３１２は、受け付けた信号を所定の周波数帯で復調処理する。通信処理部３１２は、復調処理が行われた信号を、制御部３６に出力する。
【００２７】
アンテナ部３１１は、通信処理部３１２から供給された信号を基地局に送信する。アンテナ部３１１は、基地局から送信された信号を受信して、その信号を通信処理部に供給する。
【００２８】
通信部３１は、アンテナ部３１１及び通信処理部３１２に加えて、全地球測位システム用の衛星（ＧＰＳ（Ｇｌｏｂａｌ  Ｐｏｓｉｔｉｏｎｉｎｇ  Ｓｙｓｔｅｍ）衛星）からＧＰＳ信号を受信するためのアンテナ及び通信処理部を備えていてもよい。
【００２９】
表示処理部３２は、画像処理を行う。表示処理部３２は、処理後の画像データを表示ドライバ２２に出力する。表示ドライバ２２は、フレームメモリを備えている。表示ドライバ２２は、表示処理部３２から供給された画像データをメモリに蓄える。表示ドライバ２２は、メモリに蓄えられた画像データをメインディスプレイ２１又はサブディスプレイ２５に出力する。画像処理を制御部３６で行う場合、表示処理部３２を省略してもよい。
【００３０】
記憶部３４は、複数のアプリケーションプログラムを記憶する。記憶部３４は、携帯電話機１の内部に固定されていてもよいし、着脱可能であってもよい。
【００３１】
処理部３５は、音声の処理を行う。処理部３５の具体的な処理の内容については、後述する。
制御部３６は、携帯電話機１の全体を制御する。
制御部３６は、例えば、ＣＰＵ（Ｃｅｎｔｒａｌ  Ｐｒｏｃｅｓｓｉｎｇ  Ｕｎｉｔ）を含む。制御部３６は、複数のマイクロプロセッサを含んでいてもよい。
【００３２】
ここで、処理部３５による具体的な処理について説明する。
処理部３５は、操作部１１の操作に応じた調整値と、音声の調整量が関連付けられた調整テーブルを参照する。調整テーブルは、記憶部３４に記憶されるものとするが、これに限られない。
【００３３】
処理部３５は、制御部３６から操作部１１の操作に応じた調整値が供給されたときに、調整テーブルを参照して、当該調整値に対応する調整量で音声を調整する。調整後の音声は、レシーバ２３から出力される。
【００３４】
図４は、ある年代の聴力特性（周波数に対する音の大きさ）を示す図である。図４中の斜線で示した部分は、一般的に、ある年代の人が聞き取れない、又は聞き取りにくい領域を示している。なお、年代があがるほど、高周波数領域の許容レンジが狭くなる傾向にある。
【００３５】
処理部３５は、図４に示す白抜きの領域内から外れないように、音声に対して調整を行う。例えば、処理部３５は、１，６００Ｈｚの音声に対して、操作部１１の操作に応じた調整値に基づいて、５０ｄＢ（デシベル）以上９０ｄＢ以下となるように調整する。
【００３６】
また、図５は、聴力が低下していない人の聴力特性を示す図である。図６は、聴力が低下した人の聴力特性を示す図である。図７は、聴力が低下していない人の音の聴こえ方と、聴力が低下した人の音の聴こえ方とを対比する図である。
【００３７】
図５に示されるように、９０ｄＢ以上の領域と４０ｄＢ以下の領域とが区分けされている。図５に示されるように、４０ｄＢ以下の音は、聴力が低下していない人が聴き難いと感じる音である。９０ｄＢ以上の音は、一般的に、聴力が低下していない人がうるさいと感じる音である。図６に示されるように、聴力が低下した人が良好に聴こえる音の大きさは、聴力が低下していない人が良好に聴こえる音の大きさと比べた場合、高い周波数において異なる。例えば、聴力が低下した人は、周波数が３，０００Ｈｚにおいて、約６５ｄＢ以下の音が聴き難いと感じる。聴力が低下した人は、４，０００Ｈｚにおいて、約１００ｄＢの音でもうるさいと感じない。
【００３８】
図５及び図６には、母音、有声子音、無声子音の音の大きさが示されている。図５及び図６に示すように、母音及び有声子音は、通常、４０ｄＢから９０ｄＢの範囲に入る。無声子音は、通常、高周波数域の３０ｄＢから６０ｄＢの範囲に入る。無声子音は、母音及び有声子音に比べて小さい音と聴こえる傾向がある。
【００３９】
聴力が低下していない人は、図５に示すように、３００Ｈｚから３，４００Ｈｚまでの音について、４０ｄＢから９０ｄＢまで音声を聴くことができる。聴力が低下した人は、図６に示すように、音声の周波数が高くなるに従って、聴こえ難くなる傾向がある。聴力が低下した人は、母音が聴こえるものの、有声子音及び無声子音が聴こえ難くなってしまう傾向にある。
【００４０】
聴力が低下した人は、図７に示すように、所定の大きさの音より小さい音については、殆ど聴こえない。聴力が低下した人は、所定の大きさの音より大きい音については、聴力が低下していない人と同じように音を感じることができる。例えば、図７の範囲Ａに対応する大きさの音は、聴力が低下した人も聴力が低下していない人と同じように聴こえる。
【００４１】
このような携帯電話機１は、集音機能を使用できる。以下に、携帯電話機１に具体的な構成を説明する。図８は、第１画像の一例を示す図である。
【００４２】
上述した制御部３６は、電波の送受信を停止するよう通信部３１を制御する。制御部３６は、電波の送受信が停止していることを示す第１画像をサブディスプレイ２５に表示させる。
具体的には、制御部３６は、上記の制御を行うため、図３に示すように、モード設定部３６１、音出力制御部３６２、通信制御部３６３及び表示制御部３６４として機能する。
【００４３】
モード設定部３６１は、通信部３１を介して通話を行う通話モードと、所定の集音モードとのいずれかに携帯電話機１を設定する。すなわち、モード設定部３６１は、ユーザによって操作部１１が操作されることに基づいて、通話モードと所定の集音モードとのいずれかに携帯電話機１を設定する。モード設定部３６１によって携帯電話機１が通話モードに設定された場合には、携帯電話機１は、マイク１２によって入力された音又は音声を、通信部３１を介して基地局に送信する。携帯電話機１は、基地局から送信された通話相手の音声を、通信部３１を介してレシーバ２３から出力する。モード設定部３６１によって携帯電話機１が所定の集音モードに設定された場合には、携帯電話機１は、集音器として利用されることが可能になる。
【００４４】
音出力制御部３６２は、モード設定部３６１によって所定の集音モードに設定された場合に、マイク１２によって入力された音をレシーバ２３から出力させる。すなわち、音出力制御部３６２は、集音モードに設定された場合に、マイクによって入力された音又は音声を調整した後、調整後の音又は音声をレシーバ２３から出力させる。音又は音声の調整は、例えば、音又は音声の音量の調整である。音又は音声の調整は、例えば、処理部３５による音又は音声の周波数の変更である。
【００４５】
通信制御部３６３は、モード設定部３６１によって所定の集音モードに設定された場合に、電波の送受信を停止するよう通信部３１を制御する。通信制御部３６３は、所定の集音モードに設定された場合に、通信部３１が基地局等と無線通信を行わないようにその通信部３１を制御する。
【００４６】
表示制御部３６４は、通信制御部３６３によって電波の送受信を停止するよう通信部３１が制御された場合に、電波の送受信が停止していることを示す第１画像をサブディスプレイ２５に表示させる。第１画像は、例えば、図８に示すような画像である。また、第１画像は、文字等であってもよい。第１画像が文字である場合、その第１画像の一例は、「電波ＯＦＦ」又は「電波の送受信を停止中」等であればよい。第１画像が文字である場合には、表示制御部３６４は、文字をスクロールさせてサブディスプレイ２５に表示させてもよい。表示制御部３６４は、第１画像として、図８に一例を示すような画像と、上述した文字とを共にサブディスプレイ２５に表示させてもよい。
【００４７】
これにより、携帯電話機１は、従来では電源をオフにしなければならなかった状況でも、ユーザに集音機能を使用させることができる。
携帯電話機１は、サブディスプレイ２５に第１画像を表示させるので、第三者に対して、携帯電話機１が無線通信を行っていない状態にあることを示すことができる。すなわち、携帯電話機１は、集音機能を利用させるためにユーザの耳に当てられている場合でも、通話を行っていないことを第三者に示すことができる。
【００４８】
制御部３６は、電波の送受信を停止するよう通信部３１を制御した場合に、サブディスプレイ２５の輝度を変更することが好ましい。具体的には、表示制御部３６４は、通信制御部３６３によって電波の送受信を停止するよう通信部３１が制御された場合に、第１モードと第２モードとのいずれかにサブディスプレイ２５を設定することが可能である。すなわち、ユーザによって操作部１１が操作されることにより第１モード及び第２モードのうち一方が選択された場合に、表示制御部３６４は、ユーザによって選択されたモードになるようサブディスプレイ２５を設定する。
【００４９】
第１モードは、サブディスプレイ２５の輝度を第１の輝度とする。第１の輝度は、通常時のサブディスプレイ２５の輝度である。このため、サブディスプレイ２５が第１モードに設定されている場合には、携帯電話機１のユーザは、日中、夕方及び夜間において、室内又は室外を問わず、サブディスプレイ２５に表示される画像を容易に確認することができる。
【００５０】
第２モードは、サブディスプレイ２５の輝度を第１の輝度よりも低い第２の輝度とする。第２の輝度は、例えば、映画館及びプラネタリウム等において番組を上映している時の明るさ（暗闇）において、携帯電話機１のユーザがサブディスプレイ２５に表示される画像を何とか確認することができる輝度である。
【００５１】
これにより、携帯電話機１は、例えば、映画館及びプラネタリウム等における暗い状況であっても、第三者に不快感を与えることなく、集音機能を使用させることができる。
表示制御部３６４は、通信制御部３６３によって電波の送受信を停止するよう通信部３１が制御された場合、メインディスプレイ２１の輝度を上述した第２輝度と同じ又は略同じ第３輝度とすることが好ましい。
【００５２】
また、表示制御部３６４は、サブディスプレイ２５を第１モードに設定した場合にのみ、サブディスプレイ２５に第１画像を表示させることが好ましい。サブディスプレイ２５が第２モードに設定された場合には、携帯電話機１から離れた位置にいる第三者は、サブディスプレイ２５に表示される画像を確認することができない可能性がある。このため、携帯電話機１は、サブディスプレイ２５が第１モードに設定された場合にのみ、そのサブディスプレイ２５に第１画像を表示させることにより、制御部３６の処理の負担を軽減させることができる。
【００５３】
制御部３６は、電波の送受信を停止するよう通信部３１を制御した場合に、接続部３３に外部音出力部としてのイヤホン５が接続されていないと、警告表示をサブディスプレイ２５に表示させることが好ましい。制御部３６は、警告表示をメインディスプレイ２１に表示させてもよい。具体的には、表示制御部３６４は、サブディスプレイ２５を第２モードに設定した場合に、イヤホン５が接続部３３に接続されていないと、警告表示をメインディスプレイ２１又はサブディスプレイ２５に表示させることが好ましい。
【００５４】
イヤホン５は、例えば、接続部３３に接続される。接続部３３は、イヤホン５が接続された場合に、イヤホン５が接続されたことを示す信号を制御部３６に供給する。表示制御部３６４は、サブディスプレイ２５を第２モードに設定した場合に、制御部３６によって上記信号を受け付けていないと、メインディスプレイ２１及びサブディスプレイ２５の少なくとも一方に警告を表示させる。警告表示は、例えば、携帯電話機１にイヤホン５を接続させること促す表示である。
【００５５】
この場合、制御部３６は、接続部３３にイヤホン５が接続されると、イヤホン５のみから音を出力させる。例えば、音出力制御部３６２は、表示制御部３６４によってサブディスプレイ２５が第２モードに設定された場合に、接続部３３（第１筐体２又は第２筐体３）にイヤホン５が接続されると、マイク１２によって入力されたイヤホン５のみから音を出力させる。
【００５６】
これにより、携帯電話機１は、例えば、映画館及びプラネタリウム等の人が密集する状況あっても、第三者に不快感を与えることなく、集音機能を使用させることができる。
【００５７】
制御部３６は、位置取得部３６５として機能することが好ましい。位置取得部３６５は、通信部３１によって受信した電波に基づいて、携帯電話機１の現在位置を取得する。位置取得部３６５は、通信部３１が通信する１又は複数の基地局の位置情報を利用することにより、携帯電話機１の現在位置を取得する。位置取得部３６５は、ＧＰＳ衛星から受信したＧＰＳ信号に基づいて、携帯電話機１の現在位置を取得することも可能である。
【００５８】
制御部３６は、電波の送受信を停止するよう通信部３１を制御した場合に、位置取得部３６５によって取得された現在位置が予め定められた位置であると、サブディスプレイ２５の輝度を変更する。具体的には、表示制御部３６４は、通信制御部３６３によって電波の送受信を停止するよう通信部３１が制御された場合に、電波の送受信が停止される前に位置取得部３６５によって取得された現在位置が予め定められた位置であると、サブディスプレイ２５を第２モードに設定する。電波の送受信が停止される前とは、例えば、電波の送受信が停止される直前、又は、電波の送受信が停止される時から予め設定された時間前から電波の送受信が停止されるまでの間のことである。
【００５９】
より具体的には、携帯電話機１は、予め定められた位置として、サブディスプレイ２５を第２モードに設定したい位置（例えば、映画館及びプラネタリウム等）の位置情報を予め記憶部３４に記憶させておく。表示制御部３６４は、通信制御部３６３によって電波の送受信を停止するよう通信部３１が制御された場合に、位置取得部３６５によって取得された現在位置と、記憶部３４に記憶される位置情報に基づく位置とが一致又は略一致すると、サブディスプレイ２５を第２モードに設定する。
【００６０】
これにより、携帯電話機１は、ユーザによって第２モードが選択されなくとも、携帯電話機１の現在位置の状況に応じてサブディスプレイ２５を第２モードに設定することができる。携帯電話機１は、ユーザが第１モード及び第２モードのうちの一方を選択する手間を省くことができる。
【００６１】
携帯電話機１は、光センサ３７と、計時部３８とを備えることが好ましい。
光センサ３７は、第１筐体２及び第２筐体３の外部の明るさを測定する。光センサ３７は、例えば、照度センサである。
【００６２】
計時部３８は、制御部３６としての通信制御部３６３によって電波の送受信を停止するよう通信部３１が制御された場合に、光センサ３７によって測定された明るさが所定の明るさ未満となっている時間を計時する。計時部３８は、通信制御部３６３によって電波の送受信を停止するよう通信部３１が制御された後、光センサ３７によって測定される明るさが所定の明るさ未満になったときに、計時を開始する。
【００６３】
制御部３６は、計時部３８によって計時される時間が所定の時間以上となる場合に、サブディスプレイ２５の輝度を変更する。具体的には、表示制御部３６４は、計時部３８によって計時される時間が所定の時間以上となる場合に、サブディスプレイ２５を第２モードに設定する。計時部３８が計時を開始した後、計時部３８によって計時される時間が所定の時間以上となった時に、表示制御部３６４は、例えば、携帯電話機１が映画館及びプラネタリウム等の暗い場所にあると判断して、サブディスプレイ２５を第２モードに設定する。
【００６４】
これにより、携帯電話機１は、ユーザによって第２モードが選択されなくとも、携帯電話機１の状況に応じてサブディスプレイ２５を第２モードに設定することができる。携帯電話機１は、ユーザが第１モード及び第２モードのうちの一方を選択する手間を省くことができる。
【００６５】
次に、携帯電話機１の集音モードを起動した場合の動作について説明する。すなわち、その動作は、モード設定部３６１によって集音モードが設定された場合の携帯電話機１の動作である。図９は、集音モードを起動した場合の携帯電話機１の動作について説明するためのフローチャートである。
【００６６】
ステップＳＴ１において、通信制御部３６３として機能する制御部３６は、電波の送受信を停止するよう通信部３１を制御する。
【００６７】
ステップＳＴ２において、表示制御部３６４として機能する制御部３６は、ユーザが操作部１１を操作することによって、サブディスプレイ２５の設定として第１モードを選択したか否かを判断する。第１モードが選択された場合（ＹＥＳ）、制御部３６は、処理をステップＳＴ３に進ませる。第１モードが選択されていない場合（ＮＯ）、制御部３６は、処理をステップＳＴ５に進ませる。
制御部３６は、位置取得部３６５によって取得された携帯電話機１の現在位置が予め定められた位置であると、処理をステップＳＴ５に進ませる。制御部３６は、計時部３８によって計時される時間が所定の時間以上となる場合には、処理をステップＳＴ５に進ませる。
【００６８】
ステップＳＴ３において、表示制御部３６４として機能する制御部３６は、サブディスプレイ２５の輝度を第１の輝度にする。
【００６９】
ステップＳＴ４において、表示制御部３６４として機能する制御部３６は、第１画像をサブディスプレイ２５に表示させる。制御部３６は、ステップＳＴ４の後、処理をステップＳＴ１０に進ませる。
【００７０】
ステップＳＴ５において、表示制御部３６４として機能する制御部３６は、サブディスプレイ２５の輝度を第２の輝度にする。
【００７１】
ステップＳＴ６において、制御部３６は、携帯電話機１に設定されているアラーム機能を無効にする。すなわち、制御部３６は、アラームを鳴動させないようにする。
【００７２】
ステップＳＴ７において、表示制御部３６４として機能する制御部３６は、携帯電話機１にイヤホン５が接続されたか否かを判断する。イヤホン５が接続された場合（ＹＥＳ）、制御部３６は、処理をステップＳＴ１０に進ませる。イヤホン５が接続されていない場合（ＮＯ）、制御部３６は、処理をステップＳＴ８に進ませる。
【００７３】
ステップＳＴ８において、表示制御部３６４として機能する制御部３６は、メインディスプレイ２１又はサブディスプレイ２５に警告表示を行う。
【００７４】
ステップＳＴ９において、表示制御部３６４として機能する制御部３６は、携帯電話機１にイヤホン５が接続されたか否かを判断する。イヤホン５が接続された場合（ＹＥＳ）、制御部３６は、処理をステップＳＴ１０に進ませる。イヤホン５が接続されていない場合（ＮＯ）、制御部３６は、集音モードを終了する。イヤホン５が接続されていない場合（ＮＯ）、モード設定部３６１として機能する制御部３６は、通話モードに設定する。
【００７５】
ステップＳＴ１０において、音出力制御部３６２として機能する制御部３６は、集音を開始する。一例として、制御部３６は、マイク１２によって入力された音を、入力されたときの音量よりも大きくしてレシーバ２３から出力させる。
ステップＳＴ１０の後、モード設定部３６１によって通話モードが設定された場合に、制御部３６は、集音モードを終了させる。
【００７６】
このようにして、携帯電話機１は、従来では電源をオフにしなければならなかった状況でも、ユーザに集音機能を使用させることができる。携帯電話機１は、サブディスプレイ２５に第１画像を表示させるので、第三者に対して、携帯電話機１が無線通信（通話）を行うことができない状態にあることを示すことができる。
【００７７】
本発明は、上述した実施形態に限定されることはない。上述した携帯電話機１は、折りたたみタイプの携帯電話機である。しかしながら、携帯電話機は、例えば、１つの筐体から構成されるストレートタイプの携帯電話機、２つの筐体から構成されるリボルバタイプの携帯電話機、２つの筐体から構成されるスライドタイプの携帯電話機等であってもよい。いずれの携帯電話機であっても、集音機能が使用される場合に、ユーザの顔に対向する筐体の面が第１面となる。
【符号の説明】
【００７８】
１  携帯電話機（携帯電子機器）
２３  レシーバ
２５  サブディスプレイ（表示部）
３１  通信部
３３  接続部
３６  制御部
３７  光センサ
３８  計時部
【図１】
0005847020.tif 000002
【図２】
0005847020.tif 000003
【図３】
0005847020.tif 000004
【図４】
0005847020.tif 000005
【図５】
0005847020.tif 000006
【図６】
0005847020.tif 000007
【図７】
0005847020.tif 000008
【図８】
0005847020.tif 000009
【図９】
0005847020.tif 000010